(57)【特許請求の範囲】
【請求項１】
給電機器と、前記給電機器から電源の供給を受けて稼働する受電機器とから構成される前記給電機器の電源管理システムであって、
前記受電機器は、
前記給電機器から電源供給を受けたときに、前記給電機器の電源状態を、第１の状態から前記第１の状態よりも消費電力が大きい第２の状態へと移行させる信号を前記給電機器に対して送信する信号送信部を備え、
前記給電機器は、
前記受電機器から送信される前記信号を受信する信号受信部と、
ユーザの動きを監視する監視部と、
前記監視部が取得した監視情報に基づいて前記ユーザが前記給電機器を使用するか否かを判断する判断部と、
前記信号受信部が前記信号を受信したとき、または、前記判断部が前記ユーザは前記給電機器を使用すると判断したときに、電源の起動シーケンスを実行する電源制御部と、
を備えたことを特徴とする給電機器の電源管理システム。
【請求項２】
前記監視部は、前記監視情報として前記ユーザの顔の動きを取得し、前記判断部は、前記監視部により取得された前記ユーザの顔の向きが予め定められた所定時間以上変化しないとき、前記ユーザは前記給電機器を使用すると判断することを特徴とする請求項１に記載の給電機器の電源管理システム。
【請求項３】
前記監視部は、前記監視情報として前記ユーザの移動方向を取得し、前記判断部は、前記監視部により取得された前記ユーザの移動方向が前記給電機器に接近する方向であるとき、前記ユーザは前記給電機器を使用すると判断することを特徴とする請求項１に記載の給電機器の電源管理システム。
【請求項４】
前記監視部は、前記信号受信部が前記受電機器から送信された前記信号を受信したときに、前記ユーザの監視を開始することを特徴とする請求項１乃至３のいずれか一項に記載の給電機器の電源管理システム。
【請求項５】
前記給電機器は、前記受電機器に電源を供給する無線給電部を備え、前記受電機器は、前記給電機器から供給される前記電源を受電する無線受電部を備えることを特徴とする請求項１乃至４のいずれか一項に記載の給電機器の電源管理システム。
【請求項６】
前記給電機器は、前記無線給電部の出力に基づいて前記給電機器から前記受電機器までの距離を算出する距離算出部と、前記距離算出部が算出した前記距離が予め定められた所定値以下であるが否かを判断する判断部とを更に備え、
前記電源制御部は、前記判断部が前記給電機器から前記受電機器までの距離は予め定められた所定値以下であると判断したときに、前記電源の起動シーケンスを実行することを特徴とする請求項５に記載の給電機器の電源管理システム。
【請求項７】
前記距離算出部は、前記信号受信部が前記受電機器から送信された前記信号を受信したときに、前記距離の算出を開始することを特徴とする請求項６に記載の給電機器の電源管理システム。
【発明の詳細な説明】
【技術分野】
【０００１】
本発明は、給電機器の電源管理システムに関する。
【背景技術】
【０００２】
従来、画像形成装置とこれに着脱できる状態で付属する操作パネルとからなる情報処理装置が知られている（例えば、特許文献１参照。）。操作パネルは、画像形成装置に取り付けた状態で、画像形成装置から電源の供給を受ける。従って、特許文献１に記載の情報処理装置においては、画像形成装置が給電機器として機能し、操作パネルが受電機器として機能する。
【０００３】
このように、特許文献１に記載の情報処理装置は、操作パネルが画像形成装置に対して着脱できるように構成されているので、画像形成装置の設置場所とは別の場所に操作パネルを持って行って画像形成装置の設定などを行うことができ、画像形成装置の使用を便利なものにできる。
【発明の概要】
【発明が解決しようとする課題】
【０００４】
しかしながら、従来技術は、操作パネルの着脱に応じて画像形成装置の電源状態の切替を自動的に行う技術については何も考慮されていない。このため、従来技術においては、操作パネルの装着時に画像形成装置の電源状態がシャットダウン状態又は省電力モードであるとき、ユーザは、操作パネルを装着した後に手動で画像形成装置の電源を通常モードに復帰させるための何らかの操作を行わなくてはならず、画像形成装置を使用状態に復帰させるまでの操作に手間がかかる。
【０００５】
本発明は、このような従来技術の課題を解決するためになされたものであり、給電機器の利用を便利にすることを目的とする。
【課題を解決するための手段】
【０００６】
上記課題を解決するために、本発明の一態様は、給電機器と、前記給電機器から電源の供給を受けて稼働する受電機器とから構成される前記給電機器の電源管理システムであって、前記受電機器は、前記給電機器から電源供給を受けたときに、前記給電機器の電源状態を、第１の状態から前記第１の状態よりも消費電力が大きい第２の状態へと移行させる信号を前記給電機器に対して送信する信号送信部を備え、前記給電機器は、前記受電機器から送信される前記信号を受信する信号受信部と、ユーザの動きを監視する監視部と、前記監視部が取得した監視情報に基づいて前記ユーザが前記給電機器を使用するか否かを判断する判断部と、前記信号受信部が前記信号を受信したとき、または、前記判断部が前記ユーザは前記給電機器を使用すると判断したときに、電源の起動シーケンスを実行する電源制御部と、を備えたことを特徴とする。
【発明の効果】
【０００７】
本発明によれば、給電機器の利用を便利にすることができる。
【図面の簡単な説明】
【０００８】
【図１】実施例１に係る電源管理システムの構成を示すブロック図である。
【図２】実施例２に係る電源管理システムの構成を示すブロック図である。
【図３】実施例３に係る電源管理システムの構成を示すブロック図である。
【図４】実施例４に係る電源管理システムの構成を示すブロック図である。
【図５】実施例５に係る電源管理システムの構成を示すブロック図である。
【図６】実施例６に係る電源管理システムの構成を示すブロック図である。
【図７】実施例６に係る電源管理システムの動作を示すフローチャートである。
【図８】実施例７に係る電源管理システムの構成を示すブロック図である。
【図９】実施例７に係る電源管理システムの動作を示すフローチャートである。
【図１０】実施例８に係る電源管理システムの構成を示すブロック図である。
【図１１】実施例９に係る電源管理システムの構成を示すブロック図である。
【図１２】実施例１０に係る電源管理システムの構成を示すブロック図である。
【図１３】実施例１１に係る電源管理システムの構成を示すブロック図である。
【発明を実施するための形態】
【０００９】
以下、実施形態に係る受電機器、給電機器及び給電機器の電源管理システムを、実施例毎に図面を参照しながら説明する。なお、以下においては、画像処理装置１００が給電機器であり、画像処理装置１００に対して着脱できるように構成された操作表示装置２００が受電機器である場合を例にとって説明するが、本発明の要旨はこれに限定されるものではなく、互いに着脱できるように構成され、かつ一方の電子機器から他方の電子機器に電源を供給する全ての電源管理システムにも同様に適用できる。
【００１０】
＜実施例１＞
図１は、実施例１に係る電源管理システムの構成を示すブロック図であり、図１（ａ）は画像処理装置１００から操作表示装置２００を取り外した状態、図１（ｂ）は画像処理装置１００に操作表示装置２００を取り付けた状態を示している。
【００１１】
画像処理装置１００は、メインコントローラ１１０で構成されており、ＣＰＵ（中央処理装置）１２０が画像処理装置１００の制御や情報転送を司る役割を担っている。一方、操作表示装置２００は、操作部コントローラ２１０と、表示部であるＬＣＤ（液晶表示装置）２３０と、操作部であるタッチパネル２４０で構成されており、ＣＰＵ２２０がＬＣＤの制御や情報転送を司る役割を担っている。また、操作表示装置２００は、電源管理マイコン２５０を有し、操作部コントローラ２１０の電源管理を行っている。操作表示装置２００は、単独でも動作するようバッテリ２７０を内蔵しており、操作表示装置２００の各デバイスに対して電源を供給している。
【００１２】
画像処理装置１００には専用コネクタ１３０が備えられ、操作表示装置２００には画像処理装置１００側の専用コネクタ１３０に対して物理的に接続される専用コネクタ２６０が備えられている。画像処理装置１００と操作表示装置２００とは、図１（ｂ）に示すように、専用コネクタ１３０と専用コネクタ２６０とを物理的に接触することで電気的に接続され、画像処理装置１００の電源からバッテリ２７０に操作表示装置２００を稼働させるための電源が給電される。また、画像処理装置１００と操作表示装置２００とは、ＵＳＢ（ユニバーサル・シリアル・バス）信号で接続されており、それぞれのＣＰＵ同士が通信することで情報の転送が行われるようになっている。
【００１３】
操作表示装置２００に備えられた電源管理マイコン２５０は、画像処理装置１００からバッテリ２７０への給電を監視しており、画像処理装置１００からバッテリ２７０への給電を検出したとき、ＣＰＵ１２０に起動要求信号を送出する。これにより、画像処理装置１００の起動シーケンスが実行され、画像処理装置１００の電源状態が、消費電力が小さいシャットダウン状態又は省電力モード（第１の状態）から、これよりも消費電力が大きい通常モード（第２の状態）に自動的に移行される。つまり、実施例１に係る電源管理システムにおいては、電源管理マイコン２５０が信号送信部として機能し、ＣＰＵ１２０が信号受信部及び電源制御部として機能する。
【００１４】
このように、実施例１に係る電源管理システムは、操作表示装置２００の取付時に画像処理装置１００の電源状態がシャットダウン状態又は省電力モードにある場合にも、画像処理装置１００に操作表示装置２００を取り付けることにより、画像処理装置１００の電源状態を自動的に通常モードに復帰させることができるので、ユーザによる通常モードへの復帰操作を必要とせず、画像処理装置１００の仕様を便利なものにできる。
【００１５】
＜実施例２＞
図２は、実施例２に係る電源管理システムの構成を示すブロック図であり、図２（ａ）は画像処理装置１００から操作表示装置２００を取り外した状態、図２（ｂ）は画像処理装置１００に操作表示装置２００を取り付けた状態を示している。
【００１６】
実施例２に係る電源管理システムは、図２に示すように、実施例１に係る電源管理システムとは異なり、起動要求信号をなくし、専用コネクタを汎用コネクタに置き換えたことを特徴とする。なお、本例においては、汎用コネクタとしてＵＳＢコネクタを備えられている。その他については、実施例１に係る電源管理システムと同じであるので、対応する部分に同一保符号を付して、説明を省略する。
【００１７】
画像処理装置１００から操作表示装置２００が取り外され、かつ画像処理装置１００が省電力状態又はシャットダウン状態のとき、ＣＰＵ１２０のＵＳＢ  ＨＯＳＴ  ＣＴＬは、ＵＳＢサスペンド状態になっている。この状態から、図２（ｂ）に示すように、汎用コネクタ１３０、２６０が電気的に接続されると、汎用コネクタ１３０、２６０を介して、画像処理装置１００から操作表示装置２００に電源が給電される。電源管理マイコン２５０は、画像処理装置１００から操作表示装置２００への電源の給電を検出し、操作表示装置２００のＣＰＵ２２０に電源供給通知信号を送出する。
【００１８】
操作表示装置２００側のＣＰＵ２２０は、この電源供給通知信号を検出したとき、ＵＳＢ  ＤＥＶＩＣＥ  ＣＴＬからリモートウェイクアップの指示を、ＵＳＢ信号を通じて画像処理装置１００側のＣＰＵ１２０のＵＳＢ  ＨＯＳＴ  ＣＴＬに送信する。これにより、画像処理装置１００の起動シーケンスが実行され、画像処理装置１００の電源状態が、消費電力が小さいシャットダウン状態又は省電力モード（第１の状態）から、これよりも消費電力が大きい通常モード（第２の状態）に自動的に移行される。
【００１９】
本実施例においては、操作表示装置２００側のＣＰＵ２２０のＵＳＢ  ＤＥＶＩＣＥ  ＣＴＬが信号送信部として機能し、画像処理装置１００側のＣＰＵ１２０のＵＳＢ  ＨＯＳＴ  ＣＴＬが信号受信部として機能する。
【００２０】
実施例２に係る電源管理システムも、実施例１に係る電源管理システムと同様の効果を奏するほか、汎用コネクタ１３０、２６０を介して電源の供給及び信号の授受を行うので、専用の操作表示装置２００以外に、例えばタブレット端末やスマートフォンなどの汎用の操作表示装置の利用が可能となる。
【００２１】
＜実施例３＞
図３は、実施例３に係る電源管理システムの構成を示すブロック図であり、図３（ａ）は画像処理装置１００から操作表示装置２００を取り外した状態、図３（ｂ）は画像処理装置１００に操作表示装置２００を取り付けた状態を示している。
【００２２】
実施例３に係る電源管理システムは、図３に示すように、実施例２に係る電源管理システムとは異なり、画像処理装置１００側に無線ＬＡＮモジュール１４０を備えると共に、操作表示装置側２００側に無線ＬＡＮモジュール２８０を備えたことを特徴とする。その他については、実施例２に係る電源管理システムと同じであるので、対応する部分に同一保符号を付して、説明を省略する。
【００２３】
画像処理装置１００から操作表示装置２００が取り外され、かつ画像処理装置１００が省電力状態又はシャットダウン状態のとき、無線ＬＡＮモジュール１４０は省電力状態であり、特定のビーコンのみを受け付けられるようになっている。この状態から、図３（ｂ）に示すように、汎用コネクタ１３０、２６０を介して画像処理装置１００に操作表示装置２００が取り付けられると、汎用コネクタ１３０、２６０を介して、画像処理装置１００から操作表示装置２００に電源が給電される。電源管理マイコン２５０は、画像処理装置１００から操作表示装置２００への電源の給電を検出し、操作表示装置２００のＣＰＵ２２０に電源供給通知信号を送出する。
【００２４】
ＣＰＵ２２０は、この電源供給通知信号を受信すると、無線ＬＡＮモジュール２８０よりビーコンを送出する。ビーコンを受け取った画像処理装置１００側の無線ＬＡＮモジュール１４０は、ＣＰＵ１２０に起動要求信号を通知する。これにより、画像処理装置１００の起動シーケンスが実行され、画像処理装置１００の電源状態が、消費電力が小さいシャットダウン状態又は省電力モード（第１の状態）から、これよりも消費電力が大きい通常モード（第２の状態）に自動的に移行される。本実施例においては、操作表示装置２００側の無線ＬＡＮモジュール２８０が信号送信部として機能し、画像処理装置１００側の無線ＬＡＮモジュール１４０が信号受信部として機能する。
【００２５】
実施例３に係る電源管理システムも、実施例２に係る電源管理システムと同様の効果を奏する。
【００２６】
＜実施例４＞
図４は、実施例４に係る電源管理システムの構成を示すブロック図であり、図４（ａ）は画像処理装置１００と操作表示装置２００とが離隔している状態、図４（ｂ）は画像処理装置１００と操作表示装置２００とが接近している状態を示している。
【００２７】
実施例４に係る電源管理システムは、図４に示すように、実施例３に係る電源管理システムとは異なり、汎用コネクタを通じた電源供給ではなく、画像処理装置１００側に備えられた無線給電モジュール１５０と、操作表示装置側２００側に備えられた無線給電モジュール２９０を介して、画像処理装置１００から操作表示装置２００への電源の供給を無線方式で行うことを特徴とする。その他については、実施例３に係る電源管理システムと同じであるので、対応する部分に同一保符号を付して、説明を省略する。
【００２８】
画像処理装置１００から操作表示装置２００が取り外され、かつ画像処理装置１００が省電力状態又はシャットダウン状態のとき、無線ＬＡＮモジュール１４０は省電力状態であり、特定のビーコンのみを受け付けられるようになっている。この状態から、画像処理装置１００に設定された特定の置き場に操作表示装置２００をかざすと、無線給電モジュール１５０、２９０を介して、画像処理装置１００から操作表示装置２００に電源が無線方式で給電される。電源管理マイコン２５０は、画像処理装置１００から操作表示装置２００への電源の給電を検出し、操作表示装置２００のＣＰＵ２２０に電源供給通知信号を送出する。
【００２９】
ＣＰＵ２２０は、この電源供給通知信号を受信すると、無線ＬＡＮモジュール２８０よりビーコンを送出する。ビーコンを受け取った画像処理装置１００側の無線ＬＡＮモジュール１４０は、ＣＰＵ１２０に起動要求信号を通知する。これにより、画像処理装置１００の起動シーケンスが実行され、画像処理装置１００の電源状態が、消費電力が小さいシャットダウン状態又は省電力モード（第１の状態）から、これよりも消費電力が大きい通常モード（第２の状態）に自動的に移行される。本実施例においても、操作表示装置２００側の無線ＬＡＮモジュール２８０が信号送信部として機能し、画像処理装置１００側の無線ＬＡＮモジュール１４０が信号受信部として機能する。
【００３０】
実施例４に係る電源管理システムは、実施例３に係る電源管理システムと同様の効果を奏するほか、電源の供給及び信号の授受を無線方式で行うので、画像処理装置１００に対して操作表示装置２００をかざすだけで電源の供給及び信号の授受を行うことができ、使用の利便性を更に高めることができる。
【００３１】
＜実施例５＞
図５は、実施例５に係る電源管理システムの構成を示すブロック図であり、図５（ａ）は画像処理装置１００と操作表示装置２００とが離隔している状態、図５（ｂ）は画像処理装置１００と操作表示装置２００とが接近している状態を示している。
【００３２】
実施例５に係る電源管理システムは、図５に示すように、実施例４に係る電源管理システムの無線給電モジュール１５０、２９０に代えて、長距離無線給電モジュール１５０、２９０を備えたことを特徴とする。なお、本実施例においては、長距離無線給電モジュール１５０、２９０を介して電源供給を行うことができる距離を１ｍとし、２ｍでは電源供給を行うことができないものとして説明するが、これに限定されるものではない。その他については、実施例４に係る電源管理システムと同じであるので、対応する部分に同一保符号を付して、説明を省略する。
【００３３】
操作表示装置２００が画像処理装置１００から２ｍ以上遠方にあり、かつ画像処理装置１００が省電力状態又はシャットダウン状態のとき、無線ＬＡＮモジュール１４０は省電力状態であり、特定のビーコンのみを受け付けられるようになっている。この状態から、図５（ｂ）に示すように、操作表示装置２００を画像処理装置１００から１ｍ以内に接近させると、長距離無線給電モジュール１５０、２９０を介して、画像処理装置１００から操作表示装置２００に電源が無線方式で給電される。電源管理マイコン２５０は、画像処理装置１００から操作表示装置２００への電源の給電を検出し、操作表示装置２００のＣＰＵ２２０に電源供給通知信号を送出する。
【００３４】
ＣＰＵ２２０は、この電源供給通知信号を受信すると、無線ＬＡＮモジュール２８０よりビーコンを送出する。ビーコンを受け取った画像処理装置１００側の無線ＬＡＮモジュール１４０は、ＣＰＵ１２０に起動要求信号を通知する。これにより、画像処理装置１００の起動シーケンスが実行され、画像処理装置１００の電源状態が、消費電力が小さいシャットダウン状態又は省電力モード（第１の状態）から、これよりも消費電力が大きい通常モード（第２の状態）に自動的に移行される。本実施例においては、操作表示装置２００側の長距離無線ＬＡＮモジュール２８０が信号送信部として機能し、画像処理装置１００側の長距離無線ＬＡＮモジュール１４０が信号受信部として機能する。
【００３５】
実施例５に係る電源管理システムは、実施例４に係る電源管理システムと同様の効果を奏するほか、電源の供給及び信号の授受を長距離無線給電モジュール１５０、２９０を介して行うので、画像処理装置１００に対して操作表示装置２００を所定の距離内に接近させるだけで電源の供給及び信号の授受を行うことができ、使用の利便性を更に高めることができる。
【００３６】
＜実施例６＞
図６は、実施例６に係る電源管理システムの構成を示すブロック図であり、図６（ａ）は画像処理装置１００と操作表示装置２００とが離隔している状態、図６（ｂ）は画像処理装置１００と操作表示装置２００とが接近している状態を示している。
【００３７】
実施例６に係る電源管理システムは、図６に示すように、実施例５に係る電源管理システムとは異なり、画像処理装置１００に、ユーザの移動方向を監視するカメラ１６０と、カメラ１６０により取得されたユーザの監視情報を元にユーザが画像処理装置１００を使用するか否かを判断するサブＣＰＵ１７０を追加したことを特徴とする。本実施例においては、カメラ１６０が監視部として機能し、サブＣＰＵ１７０が判断部として機能する。
【００３８】
本例において、サブＣＰＵ１７０には、ユーザの動きが画像処理装置１００に接近しない方向への動きであるときは画像処理装置１００を使用しないと判断し、画像処理装置１００に接近する方向への動きであるときは画像処理装置１００を使用する意思があると判断するように判断基準を設定しておく。
【００３９】
なお、カメラ１６０は、ユーザの移動方向を監視する手段の一例であり、ユーザの移動方向を監視できるものであれば、他の手段に置き換えることもできる。その他については、実施例５に係る電源管理システムと同じであるので、対応する部分に同一保符号を付して、説明を省略する。
【００４０】
操作表示装置２００が画像処理装置１００から２ｍ以上遠方にあり、かつ画像処理装置１００が省電力状態又はシャットダウン状態のとき、無線ＬＡＮモジュール１４０は省電力状態であり、特定のビーコンのみを受け付けられるようになっている。この状態から、図６（ｂ）に示すように、操作表示装置２００が画像処理装置１００から１ｍ以内に接近すると、長距離無線給電モジュール１５０、２９０を介して、画像処理装置１００から操作表示装置２００に電源が無線方式で給電される。
【００４１】
以下、実施例６に係る電源管理システムの動作を、図７のフローチャートも用いて説明する。
【００４２】
電源管理マイコン２５０が、画像処理装置１００から操作表示装置２００への電源の給電を検出すると（ステップＳ１でＹＥＳ）、操作表示装置２００のＣＰＵ２２０に電源供給通知信号を送出する。ＣＰＵ２２０は、この電源供給通知信号を受信すると、無線ＬＡＮモジュール２８０よりビーコンを送出する（ステップＳ２）。画像処理装置１００側の無線ＬＡＮモジュール１４０がビーコンを受信すると（ステップＳ３）、カメラ１６０及びサブＣＰＵ１７０が起動され（ステップＳ４）、カメラ１６０によるユーザの移動方向の監視が開始される。次いで、サブＣＰＵ１７０は、カメラ１６０によって取得されたユーザの移動方向が画像処理装置１００に接近するものであるか否かを判定する（ステップＳ６）。
【００４３】
ステップＳ６で、サブＣＰＵ１７０が、カメラ１６０によって取得されたユーザの移動方向は画像処理装置１００に接近する方向であると判断すると（ステップＳ６でＹＥＳ）、サブＣＰＵ１７０からＣＰＵ１２０へ起動要求信号が通知される。これにより、画像処理装置１００の起動シーケンスが実行され、画像処理装置１００の電源状態が、消費電力が小さいシャットダウン状態又は省電力モード（第１の状態）から、これよりも消費電力が大きい通常モード（第２の状態）に自動的に移行される（ステップＳ７）。本実施例においては、カメラ１６０が監視装置として機能し、サブＣＰＵ１７０が判断部として機能する。
【００４４】
ステップＳ１及びステップＳ６でＮＯと判定した場合は、ステップＳ１に戻って、上述したステップＳ１からステップＳ６の動作を繰り返す。
【００４５】
実施例６に係る電源管理システムは、実施例５に係る電源管理システムと同様の効果を奏するほか、カメラ１６０によってユーザの移動方向を監視し、画像処理装置１００を使用する可能性が高い場合にのみ、画像処理装置１００の電源状態を消費電力が小さいシャットダウン状態又は省電力モード（第１の状態）から、これよりも消費電力が大きい通常モード（第２の状態）に自動的に移行するので、無駄な電力消費と防止できる。
【００４６】
＜実施例７＞
図８は、実施例７に係る電源管理システムの構成を示すブロック図であり、図８（ａ）は画像処理装置１００から操作表示装置２００を取り外した状態、図８（ｂ）は画像処理装置１００に操作表示装置２００を取り付けた状態を示している。
【００４７】
実施例７に係る電源管理システムは、図８に示すように、実施例１に係る電源管理システムとは異なり、画像処理装置１００に、ユーザの動きを監視するカメラ１６０と、カメラ１６０により取得されたユーザの監視情報を元にユーザが画像処理装置１００を使用するか否かを判断するサブＣＰＵ１７０を追加したことを特徴とする。なお、カメラ１６０は、ユーザの動きを監視する手段の一例であり、ユーザの動きを監視できるものであれば、他の手段に置き換えることもできる。その他については、実施例１に係る電源管理システムと同じであるので、対応する部分に同一保符号を付して、説明を省略する。
【００４８】
以下、実施例７に係る電源管理システムの動作を、図９のフローチャートも用いて説明する。
【００４９】
専用コネクタ１３０、２６０を介して画像処理装置１００に操作表示装置２００が取り付けられると、画像処理装置１００から操作表示装置２００に電源が供給される。電源管理マイコン２５０は、この電源給電を検出すると（ステップＳ１でＹＥＳ）、画像処理装置１００のＣＰＵ１２０にサブ起動要求信号を送出する（ステップＳ２）。ＣＰＵ１２０は、このサブ起動要求信号を受信すると（ステップＳ３）、カメラ１６０及びサブＣＰＵ１７０を起動し（ステップＳ４）、カメラ１６０によるユーザの動きの監視を開始する（ステップＳ５）。
【００５０】
このとき、例えば１秒以内にユーザが顔の向きを変化させたら画像処理装置１００を使用しないと判断し、１秒経過しても顔の向きを変化させない場合は画像処理装置１００を使用する意思があると判断するように、サブＣＰＵ１７０を設定しておく。そして、ユーザが１秒経過しても顔の向きを変化させないと判断した場合は（ステップＳ６でＹＥＳ）、サブＣＰＵ１７０から起動要求信号をＣＰＵ１２０に送出する。これにより、画像処理装置１００の起動シーケンスが実行され、画像処理装置１００の電源状態が、消費電力が小さいシャットダウン状態又は省電力モード（第１の状態）から、これよりも消費電力が大きい通常モード（第２の状態）に自動的に移行される（ステップＳ７）。
【００５１】
実施例７に係る電源管理システムも、実施例６に係る電源管理システムと同様の効果を奏する。
【００５２】
＜実施例８＞
図１０は、実施例８に係る電源管理システムの構成を示すブロック図であり、図１０（ａ）は画像処理装置１００から操作表示装置２００を取り外した状態、図１０（ｂ）は画像処理装置１００に操作表示装置２００を取り付けた状態を示している。
【００５３】
実施例８に係る電源管理システムは、図１０に示すように、実施例２に係る電源管理システムとは異なり、画像処理装置１００に、ユーザの動きを監視するカメラ１６０と、カメラ１６０により取得されたユーザの監視情報を元にユーザが画像処理装置１００を使用するか否かを判断するサブＣＰＵ１７０を追加したことを特徴とする。サブＣＰＵ１７０は、例えば１秒以内にユーザが顔の向きを変化させたら画像処理装置１００を使用しないと判断し、１秒経過しても顔の向きを変化させない場合は画像処理装置１００を使用する意思があると判断するように判断基準を設定しておく。
【００５４】
その他については、実施例１に係る電源管理システムと同じであるので、対応する部分に同一保符号を付して、説明を省略する。
【００５５】
画像処理装置１００から操作表示装置２００が取り外され、かつ画像処理装置１００が省電力状態又はシャットダウン状態のとき、サブＣＰＵ１７０のＵＳＢ  ＨＯＳＴ  ＣＴＬは、ＵＳＢサスペンド状態になっている。この状態から、図１０（ｂ）に示すように、汎用コネクタ１３０、２６０が電気的に接続されると、汎用コネクタ１３０、２６０を介して、画像処理装置１００から操作表示装置２００に電源が給電される。電源管理マイコン２５０は、画像処理装置１００から操作表示装置２００への電源の給電を検出し、操作表示装置２００側のＣＰＵ２２０に電源供給通知信号を送出する。
【００５６】
操作表示装置２００側のＣＰＵ２２０は、この電源供給通知信号を検出したとき、ＵＳＢ  ＤＥＶＩＣＥ  ＣＴＬからリモートウェイクアップの指示を、ＵＳＢ信号を通じて画像処理装置１００側のＣＰＵ１２０のＵＳＢ  ＨＯＳＴ  ＣＴＬに送信する。これにより、カメラ１６０及びサブＣＰＵ１７０が起動され、カメラ１６０によるユーザの動きの監視が開始される。この状態において、サブＣＰＵ１７０がユーザは１秒経過しても顔の向きを変化させないと判断した場合は、サブＣＰＵ１７０からＣＰＵ１２０に起動要求信号をする。
【００５７】
これにより、画像処理装置１００の起動シーケンスが実行され、画像処理装置１００の電源状態が、消費電力が小さいシャットダウン状態又は省電力モード（第１の状態）から、これよりも消費電力が大きい通常モード（第２の状態）に自動的に移行される。
【００５８】
実施例８に係る電源管理システムも、実施例６、７に係る電源管理システムと同様の効果を奏する。
【００５９】
＜実施例９＞
図１１は、実施例９に係る電源管理システムの構成を示すブロック図であり、図１１（ａ）は画像処理装置１００から操作表示装置２００を取り外した状態、図１１（ｂ）は画像処理装置１００に操作表示装置２００を取り付けた状態を示している。
【００６０】
実施例９に係る電源管理システムは、図１０に示すように、実施例３に係る電源管理システムとは異なり、画像処理装置１００に、ユーザの動きを監視するカメラ１６０と、カメラ１６０により取得されたユーザの監視情報を元にユーザが画像処理装置１００を使用するか否かを判断するサブＣＰＵ１７０を追加したことを特徴とする。サブＣＰＵ１７０は、例えば１秒以内にユーザが顔の向きを変化させたら画像処理装置１００を使用しないと判断し、１秒経過しても顔の向きを変化させない場合は画像処理装置１００を使用する意思があると判断するように判断基準を設定しておく。
【００６１】
その他については、実施例３に係る電源管理システムと同じであるので、対応する部分に同一保符号を付して、説明を省略する。
【００６２】
画像処理装置１００から操作表示装置２００が取り外され、かつ画像処理装置１００が省電力状態又はシャットダウン状態のとき、無線ＬＡＮモジュール１４０は省電力状態であり、特定のビーコンのみを受け付けられるようになっている。この状態から、図１１（ｂ）に示すように、汎用コネクタ１３０、２６０を介して画像処理装置１００に操作表示装置２００が取り付けられると、汎用コネクタ１３０、２６０を介して、画像処理装置１００から操作表示装置２００に電源が給電される。電源管理マイコン２５０は、画像処理装置１００から操作表示装置２００への電源の給電を検出し、操作表示装置２００のＣＰＵ２２０に電源供給通知信号を送出する。
【００６３】
ＣＰＵ２２０は、この電源供給通知信号を受信すると、無線ＬＡＮモジュール２８０よりビーコンを送出する。ビーコンを受け取った画像処理装置１００側の無線ＬＡＮモジュール１４０は、サブＣＰＵ１７０にサブ起動要求信号を通知する。これにより、カメラ１６０及びサブＣＰＵ１７０が起動され、カメラ１６０によるユーザの動きの監視が開始される。この状態において、サブＣＰＵ１７０がユーザは１秒経過しても顔の向きを変化させないと判断した場合は、サブＣＰＵ１７０からＣＰＵ１２０に起動要求信号をする。
【００６４】
これにより、画像処理装置１００の起動シーケンスが実行され、画像処理装置１００の電源状態が、消費電力が小さいシャットダウン状態又は省電力モード（第１の状態）から、これよりも消費電力が大きい通常モード（第２の状態）に自動的に移行される。
【００６５】
実施例９に係る電源管理システムも、実施例６、７、８に係る電源管理システムと同様の効果を奏する。
【００６６】
＜実施例１０＞
図１２は、実施例１０に係る電源管理システムの構成を示すブロック図であり、図１２（ａ）は画像処理装置１００と操作表示装置２００とが離隔している状態、図１２（ｂ）は画像処理装置１００と操作表示装置２００とが接近している状態を示している。
【００６７】
実施例１０に係る電源管理システムは、図１２に示すように、実施例４に係る電源管理システムとは異なり、画像処理装置１００に、ユーザの動きを監視するカメラ１６０と、カメラ１６０により取得されたユーザの監視情報を元にユーザが画像処理装置１００を使用するか否かを判断するサブＣＰＵ１７０を追加したことを特徴とする。サブＣＰＵ１７０は、例えば１秒以内にユーザが顔の向きを変化させたら画像処理装置１００を使用しないと判断し、１秒経過しても顔の向きを変化させない場合は画像処理装置１００を使用する意思があると判断するように判断基準を設定しておく。
【００６８】
その他については、実施例４に係る電源管理システムと同じであるので、対応する部分に同一保符号を付して、説明を省略する。
【００６９】
画像処理装置１００から操作表示装置２００が取り外され、かつ画像処理装置１００が省電力状態又はシャットダウン状態のとき、無線ＬＡＮモジュール１４０は省電力状態であり、特定のビーコンのみを受け付けられるようになっている。この状態から、画像処理装置１００に設定された特定の置き場に操作表示装置２００をかざすと、無線給電モジュール１５０、２９０を介して、画像処理装置１００から操作表示装置２００に電源が無線方式で給電される。電源管理マイコン２５０は、画像処理装置１００から操作表示装置２００への電源の給電を検出し、操作表示装置２００のＣＰＵ２２０に電源供給通知信号を送出する。
【００７０】
ＣＰＵ２２０は、この電源供給通知信号を受信すると、無線ＬＡＮモジュール２８０よりビーコンを送出する。ビーコンを受け取った画像処理装置１００側の無線ＬＡＮモジュール１４０は、サブＣＰＵ１７０にサブ起動要求信号を通知する。これにより、カメラ１６０及びサブＣＰＵ１７０が起動され、カメラ１６０によるユーザの動きの監視が開始される。この状態において、サブＣＰＵ１７０がユーザは１秒経過しても顔の向きを変化させないと判断した場合は、サブＣＰＵ１７０からＣＰＵ１２０に起動要求信号をする。
【００７１】
これにより、画像処理装置１００の起動シーケンスが実行され、画像処理装置１００の電源状態が、消費電力が小さいシャットダウン状態又は省電力モード（第１の状態）から、これよりも消費電力が大きい通常モード（第２の状態）に自動的に移行される。
【００７２】
実施例１０に係る電源管理システムも、実施例６、７、８、９に係る電源管理システムと同様の効果を奏する。
【００７３】
＜実施例１１＞
図１３は、実施例１１に係る電源管理システムの構成を示すブロック図であり、図１３（ａ）は画像処理装置１００と操作表示装置２００とが離隔している状態、図１３（ｂ）は画像処理装置１００と操作表示装置２００とが接近している状態を示している。
【００７４】
実施例１１に係る電源管理システムは、図１３に示すように、実施例６に係る電源管理システムとは異なり、長距離無線給電モジュール１５０とサブＣＰＵ１７０が通信出来る構成となっており、かつカメラを省略したことを特徴とする。その他については、実施例６に係る電源管理システムと同じであるので、対応する部分に同一保符号を付して、説明を省略する。
【００７５】
実施例１１に係る電源管理システムも、操作表示装置２００が画像処理装置１００から２ｍ以上遠方にあり、かつ画像処理装置１００が省電力状態又はシャットダウン状態のとき、無線ＬＡＮモジュール１４０は省電力状態であり、特定のビーコンのみを受け付けられるようになっている。この状態から、図１３（ｂ）に示すように、操作表示装置２００が画像処理装置１００から１ｍ以内に接近すると、長距離無線給電モジュール１５０、２９０を介して、画像処理装置１００から操作表示装置２００に電源が無線方式で給電される。
【００７６】
電源管理マイコン２５０は、画像処理装置１００から操作表示装置２００への電源の給電を検出すると、操作表示装置２００のＣＰＵ２２０に電源供給通知信号を送出する。ＣＰＵ２２０は、この電源供給通知信号を受信すると、無線ＬＡＮモジュール２８０よりビーコンを送出する。画像処理装置１００側の無線ＬＡＮモジュール１４０は、ビーコンを受信すると、サブＣＰＵ１７０にサブ起動要求信号を通知する。
【００７７】
これにより、サブＣＰＵ１７０が起動し、長距離無線給電モジュール１５０は放出するエネルギ量を測定する。サブＣＰＵ１７０は、測定されたエネルギ量を元に画像処理装置１００から操作表示装置２００までの距離を算出する。また、サブＣＰＵ１７０は、算出された画像処理装置１００から操作表示装置２００までの距離が時間を追って小さくなっているか否かを判定する。従って、サブＣＰＵ１７０は、実施例１１に係る電源管理システムの距離算出部及び判定部として機能する。
【００７８】
そして、サブＣＰＵ１７０は、算出された距離が時間を追って小さくなっていると判定したとき、画像処理装置１００側のＣＰＵ１２０に起動要求信号を送出する。これにより、画像処理装置１００の起動シーケンスが実行され、画像処理装置１００の電源状態が、消費電力が小さいシャットダウン状態又は省電力モード（第１の状態）から、これよりも消費電力が大きい通常モード（第２の状態）に自動的に移行される。
【００７９】
実施例１１に係る電源管理システムは、実施例６に係る電源管理システムと同様の効果を奏するほか、サブＣＰＵ１７０を用いて画像処理装置１００から操作表示装置２００までの距離を算出し、この算出した距離が小さくなっていると判定したときにのみ、画像処理装置１００の電源状態を消費電力が小さいシャットダウン状態又は省電力モード（第１の状態）から、これよりも消費電力が大きい通常モード（第２の状態）に自動的に移行するので、無駄な電力消費と防止できる。
【００８０】
即ち、実施例６に係る電源管理システムは、操作表示装置２００が画像処理装置１００から１ｍ以内の範囲に入った段階で、自動的に画像処理装置１００の電源状態がシャットダウン状態又は省電力モードから通常モードに切り替えられるが、操作表示装置２００が画像処理装置１００から１ｍ以内の範囲に入っただけでは、ユーザが画像処理装置１００を使用する可能性が高いとは言えず、画像処理装置１００の電源状態の切替が無駄に行われることもある。
【００８１】
これに対して、実施例１１に係る電源管理システムは、操作表示装置２００が画像処理装置１００から１ｍ以内の範囲に入っており、しかも画像処理装置１００に接近する方向にユーザが移動していると判定したときにのみ、画像処理装置１００の電源状態をシャットダウン状態又は省電力モードから通常モードに切り替えるので、ユーザが画像処理装置１００を使用する可能性が高い状態で、画像処理装置１００の電源状態の切替を行うことができ、無駄な電力消費と防止できる。
【符号の説明】
【００８２】
１００    画像処理装置
１１０    メインコントローラ
１２０    ＣＰＵ
１３０    専用コネクタ（汎用コネクタ）
１４０    無線ＬＡＮモジュール
１５０    無線給電モジュール
１６０    カメラ
１７０    サブＣＰＵ
２００    操作表示装置
２１０    操作部コントローラ
２２０    ＣＰＵ
２３０    ＬＣＤ
２４０    タッチパネル
２５０    電源管理マイコン
２６０    専用コネクタ（汎用コネクタ）
２７０    バッテリ
２８０    無線ＬＡＮモジュール
２９０    無線給電モジュール
【先行技術文献】
【特許文献】
【００８３】
【特許文献１】特開２０１３−１２５９７４号公報
【図１】
0006642148.tif 000002
【図２】
0006642148.tif 000003
【図３】
0006642148.tif 000004
【図４】
0006642148.tif 000005
【図５】
0006642148.tif 000006
【図６】
0006642148.tif 000007
【図７】
0006642148.tif 000008
【図８】
0006642148.tif 000009
【図９】
0006642148.tif 000010
【図１０】
0006642148.tif 000011
【図１１】
0006642148.tif 000012
【図１２】
0006642148.tif 000013
【図１３】
0006642148.tif 000014